(57)【要約】【課題】印刷機のブランケット胴を支持する軸受の取付精度を向上させ、印刷機の印刷精度を向上させる。【解決手段】印刷機用複列テーパ穴軸受１は、テーパ穴を有する一対の内輪２，４と、複列の軌道を有する外輪と、内外輪間に介在する複列の転動体を備え、印刷機のブランケット胴１０のテーパ軸１２に内輪２，４を嵌合させ、テーパ軸１２の小径側に位置する内輪２の最大内径φａと大径側に位置する内輪４の最小内径φｂとの関係がφｂ≧φａとなっている。【選択図】  図１
2006224458.tif 000002
【特許請求の範囲】
【請求項１】
それぞれ外周に単列の軌道を有し内周にテーパ穴を有する一対の内輪と、内周に二つの軌道を有する複列外輪と、内輪の軌道と外輪の軌道との間に介在させた二列の転動体とを具備し、印刷機のブランケット胴のテーパ軸に内輪を嵌合させて締め付ける複列テーパ穴軸受において、テーパ軸の小径側に位置する内輪の最大内径φａと大径側に位置する内輪の最小内径φｂとの関係がφａ≦φｂであることを特徴とする印刷機用複列テーパ穴軸受。
【請求項２】
テーパ軸の小径側に位置する内輪の最大内径φａと大径側に位置する内輪の最小内径φｂとの関係がφａ≦φｂ≦φａ＋０．０１５ｍｍであることを特徴とする請求項１の印刷機用複列テーパ穴軸受。
【請求項３】
請求項１または２の印刷機用複列テーパ穴軸受を備えた印刷用ブランケット胴の支持装置。
【発明の詳細な説明】
【技術分野】
【０００１】
この発明は、印刷機のブランケット胴の両端に形成したテーパ軸に装着する複列テーパ穴軸受および同軸受を具備した印刷用ブランケット胴の支持装置に関する。
【背景技術】
【０００２】
図３に一般的な印刷機２０の概略構成を示す。同図において、２２は印刷用紙、２４は印刷用紙２２を印刷機２０内に引き込むガイドローラ、２６は印刷用紙２２に印刷像を転写するブランケット胴、２８はブランケット胴２６に刷版を付ける刷胴、３０は刷胴２８にインキを供給するインキングロール、３２はインキングロール３０にインキを供給するためのインクトレイ、３４は刷胴２８を湿らせるための湿しローラ、３６は湿しローラ３４に湿し水を供給するための湿し水トレイ、３８は印刷用紙２２を裁断機へ送るためのガイドローラである。
【０００３】
印刷機２０のブランケット胴２６は、綿布にゴムシートを塗着したブランケットをゴム胴に巻き付けたもので、両端部に支持装置を備える（図２参照）。
【０００４】
図４に示すように、ブランケット胴２６の支持装置は複列テーパ穴軸受１で構成される。複列テーパ穴軸受１は、ブランケット胴２６の両端に形成したテーパ軸１２と同じテーパ角度のテーパ穴を有する一対の内輪２，４を備え、テーパ軸１２に装着するに際し、スペーサ１４を装着したテーパ軸１２を軸端（小径端）から挿入した後、軸端にボルト１８で取り付けたエンドプレート１６で内輪２，４を大径側へ押し付けて固定する。エンドプレート１６を取り付けているボルト１８を締め付けることにより、一対の内輪２，４をテーパ軸１２の大径側に押して、互いに接触させて軸方向に位置決めする。これにより、軸受の最適運転すきまを確保するとともに、ブランケット胴１０の取付精度を確保するように企図している。
【特許文献１】特開２００２−５２６８５号公報
【発明の開示】
【発明が解決しようとする課題】
【０００５】
複列テーパ穴軸受１の内輪２，４のテーパ穴は、テーパ軸１２のテーパ角度と同じテーパ角度に加工するが、隣り合った内輪２，４間において、内径の継ぎ目部分すなわち、テーパ軸１２の小径側に位置する内輪２の最大内径φａと大径側に位置する内輪４の最小内径φｂとが同一であることが理想である。
【０００６】
ところが、実際の加工においては寸法公差のばらつきが不可避であるため、上記径差を厳密にゼロにすることは困難である。テーパ軸１２の小径側に位置する内輪２の最大内径φａが大径側に位置する内輪４の最小内径φｂより大きくなる場合が生じる。
【０００７】
テーパ軸１２の小径側に位置する内輪２の最大内径φａが大径側に位置する内輪４の最小内径φｂより小さいときは、図４に示すように、内輪２と内輪４との間にアキシアル方向のすきまｓが発生する。とくに、外輪６が一体構造である場合は、このアキシアル方向のすきまｓの発生により、内輪２，４と外輪６の位置関係がアキシアル方向にずれるため、軸受内部のラジアル方向のすきまが広くなり、ころスキューが増大する。
【０００８】
また、外力を受ける場合、内輪２はテーパ軸１２の小径側へその分力が作用する。そのため、テーパ軸１２の小径側に位置する内輪２の最大内径φａが大径側に位置する内輪４の最小内径φｂより大きいときは、内輪２がアキシアル方向にずれるため、内輪２と内輪４との間にアキシアル方向のすきまが発生し、ボルト１８への負担も大きくなるが、軸受内部のラジアル方向すきまが広くなり、ころスキューが増大する。また、組み込み時に内輪２がテーパ軸１２から抜けやすく、作業性が悪い。
【０００９】
なお、特開２００２−５６２６８５号公報では小径側に位置する内輪２の最大内径φａが大径側に位置する内輪４の最小内径φｂより小さくなる場合、内輪２と内輪４との間にアキシアル方向のすきまが発生するとしているが、実際にはエンドプレート１６、ボルト１８ですきまがなくなる（予圧がかかる）まで締め付けるため、アキシアル方向のすきまは発生しない。
【００１０】
近年、印刷機の印刷精度の向上が求められており、印刷むらや印刷ずれが生じる原因の一つに、ころスキューによる軸受温度上昇、軸受振動増大等に伴いブランケット胴の回転に振れが発生することが考えられる。このため、ブランケット胴を支持する軸受の取付精度は高精度であることが望まれる。
【００１１】
本発明は、印刷機のブランケット胴を支持する軸受の取付精度を向上させるとともに、印刷機の印刷精度を向上させることを目的とする。
【課題を解決するための手段】
【００１２】
本発明は、テーパ穴を有する一対の内輪と、複列の軌道を有する外輪と、内外輪間に介在する複列の転動体を備え、印刷機のブランケット胴のテーパ軸に内輪を嵌合させて締め付ける複列テーパ穴軸受において、テーパ軸の小径側に位置する内輪の最大内径φａと大径側に位置する内輪の最小内径φｂとの関係がφａ≦φｂであることを特徴とするものである。このような構成を採用したことにより、最適運転すきまを確保することができる。そして、ラジアル荷重を受けた場合、複列テーパ穴軸受の内輪が確実に接触するようになり、内輪と内輪との間にアキシアル方向のすきまｓが発生しなくなる。
【００１３】
最適運転すきまを確保でき、締め付け後の固定状態を安定させるという観点から、φａ≦φｂ≦φａ＋０．０１５ｍｍとするのが望ましい。すなわち、請求項２に記載したように、小径側に位置する内輪の最大内径φａと、大径側に位置する内輪の最小内径φｂとの関係をφａ≦φｂ≦φａ＋０．０１５ｍｍとすることにより、前記した効果に加え、小径側の内輪とテーパ軸のはめあい部の固定状態がより安定する。
【００１４】
請求項１または２の印刷機用の複列テーパ穴軸受は取り付け精度が良いので、特に印刷機用ブランケット胴の支持装置に好適である。
【発明の効果】
【００１５】
請求項１の印刷機用複列テーパ穴軸受は、複列テーパ穴軸受の内輪が確実に接触するようになり、内輪と内輪との間にアキシアル方向のすきまｓが発生しなくなる。これにより印刷機の印刷精度が向上する。
【００１６】
請求項２の印刷機用複列テーパ穴軸受は、前記した効果に加え、小径側の内輪とテーパ軸のはめあい部での固定状態がより安定する。これにより印刷機の印刷精度が向上する。
【００１７】
請求項３の印刷用ブランケット胴の支持装置は、請求項１または２の印刷機用の複列テーパ穴軸受を備えているので、ブランケット胴の回転振れが低減し、印刷機の印刷精度を向上させることができる。
【発明を実施するための最良の形態】
【００１８】
以下、図面に従って本発明の実施の形態を説明する。ここで、図１は、ブランケット胴の縦断面を示す図２の要部を拡大した図である。
【００１９】
図１に示すように、印刷機用の複列テーパ穴軸受１は、一対の内輪２，４と、複列外輪６と、複列の転動体８を主要な構成要素としている。
【００２０】
内輪２，４は、印刷機のブランケット胴１０のテーパ軸１２に嵌合させるためのテーパ穴を有している。また、各内輪２，４は外周に単列の軌道を有する。外輪６は内周に複列の軌道を有する。内輪２，４の軌道と外輪６の軌道との間にそれぞれ転動体ここでは円すいころ８が転動自在に介在させてある。
【００２１】
一対の内輪２，４において、テーパ軸１２の小径側に位置する内輪２の最大内径φａと、テーパ軸１２の大径側に位置する内輪４の最小内径φｂとは、φａ≦φｂの関係になっている。この実施の形態では、内輪２，４のテーパ穴のテーパ角度を同一にしてある。
【００２２】
この複列テーパ穴軸受１をテーパ軸１２に装着するに際しては、スペーサ１４を装着したテーパ軸１２を軸端（小径端）から内輪４，１のテーパ穴に挿入した後、軸端にボルト１８で取り付けたエンドプレート１６で内輪２，４をテーパ軸１２の大径側へ押し付けて固定する。テーパ軸１２の小径側の内輪２の最大内径φａが大径側の内輪４の最小内径φｂと等しいか、それよりも小さいので、ボルト１８の締め込み後は内輪２と内輪４とが相互に接触し、最適運転すきまを確保することができる。
【００２３】
テーパ軸１２の小径側の内輪２の最大内径φａと大径側の内輪４の最小内径φｂとの径差は、テーパ軸１２の加工精度等にもよるが、内輪２，４をテーパ軸１２上で適切な位置まで締め付けることにより最適運転すきまを確保でき、締め付け後の固定状態を安定させるという観点から、φａ≦φｂ≦φａ＋０．０１５ｍｍとするのが望ましい。
【００２４】
なお、本発明は、上述の実施の形態に限定されるものではなく、本発明の要旨を逸脱しない範囲内において種々変更を加え得ることは勿論である。
【図面の簡単な説明】
【００２５】
【図１】本発明の実施の形態を示す、印刷機のブランケット胴のテーパ軸に装着した複列テーパ穴軸受の縦断面図である。
【図２】図１の要部拡大図である。
【図３】一般的な印刷機の構成例を示す斜視図である。
【図４】従来の技術を示す、図２と類似の縦断面図である。
【符号の説明】
【００２６】
１  複列テーパ穴軸受
２  小径側の内輪
４  大径側の内輪
６  複列外輪
８  円すいころ（転動体）
１０  ブランケット胴
１２  テーパ軸
１４  スペーサ
１６  エンドプレート
１８  ボルト
【図１】
2006224458.tif 000003
【図２】
2006224458.tif 000004
【図３】
2006224458.tif 000005
【図４】
2006224458.tif 000006